(57)【要約】【課題】ＬＣＤパネルを駆動するとき、現ラインのビットごとに直前のラインのデータと比較し、変化がない場合には直前のラインのデータを使用する。【解決手段】表示データの任意のラインのドットクロック信号，水平／垂直同期信号，およびＲＧＢデータ信号とともに、前記任意のラインのデータが直前のラインのデータと同一であることを示すプレライン信号を送出するＬＣＤコントローラ１０と、前記ドットクロック信号，前記水平／垂直同期信号，前記ＲＧＢデータ信号，および前記プレライン信号を取り込み、前記プレライン信号が有効のときにはＬＣＤパネル３を動作させるＲＧＢ出力信号を変化させないようにするタイミング制御部２０とを有する。なお、ＬＣＤコントローラ１０は、ＣＰＵ１が生成する表示データ信号をバッファメモリ２に書き込む機能も備えている。【選択図】      図１
2005265939.tif 000002
【特許請求の範囲】
【請求項１】
表示データの任意のラインのドットクロック信号，水平／垂直同期信号，およびＲＧＢデータ信号とともに、前記任意のラインのデータが直前のラインのデータと同一であることを示すプレライン信号を送出するＬＣＤコントローラと、
前記ドットクロック信号，前記水平／垂直同期信号，前記ＲＧＢデータ信号，および前記プレライン信号を取り込み、前記プレライン信号が有効のときにはＬＣＤパネルを動作させるＲＧＢ出力信号を変化させないようにするタイミング制御部と、
を有することを特徴とするＬＣＤインターフェース方式。
【請求項２】
前記ＬＣＤコントローラは、ドットクロック信号を生成するドットクロック生成部と、水平／垂直同期信号のタイミングを生成する同期信号生成部と、表示データを保持するバッファメモリとの間で前記表示データの読み出し／書き込みを制御するメモリ制御部と、現在ＬＣＤパネルへ送出しているラインのＲＧＢデータ信号を一時的に保持するラインバッファと、前記ラインバッファが保持しているラインの直前のラインのＲＧＢデータ信号を保持するプレラインバッファと、現在送出しているラインのＲＧＢデータ信号を一時的に保持するラッチと、前記ラインバッファおよび前記プレラインバッファが送出するＲＧＢデータ信号を比較しその結果をプレライン信号として送出する第一の比較器と、前記ラッチが送出するＲＧＢデータ信号および前記ラインバッファが送出するＲＧＢデータ信号を比較しその結果を前記第一の比較器へ送出する第二の比較器と、前記ラッチが送出するＲＧＢデータ信号および前記ラインバッファが送出するＲＧＢデータ信号のいずれかを前記第一の比較器の出力結果によって選択しそれをＲＧＢデータ信号として送出するセレクタとを具備することを特徴とする請求項１記載のＬＣＤインターフェース方式。
【請求項３】
前記タイミング制御部は、前記ＬＣＤコントローラから送出されているラインのＲＧＢデータ信号を保持するラインバッファと、前記ラインバッファが保持する一ライン前のＲＧＢデータ信号を保持するプレラインバッファと、前記水平／垂直同期信号に従ってＬＣＤパネルのタイミング信号を生成するＬＣＤ表示タイミング生成部と、前記ＬＣＤコントローラが送出するＲＧＢデータ信号および前記プレラインバッファが送出する一ライン前のＲＧＢデータ信号のいずれかを前記ＬＣＤコントローラが送出するプレライン信号に従って選択するセレクタとを具備することを特徴とする請求項１または２記載のＬＣＤインターフェース方式。
【請求項４】
任意の表示データをＬＣＤパネルに表示させるとき、前記表示データの任意のラインのデータが直前のラインのデータと同一であることを示すプレライン信号を生成し、前記プレライン信号が有効の場合には前記ＬＣＤパネルを動作させるＲＧＢ出力信号を変化させないことを特徴とするＬＣＤインターフェース方法。
【請求項５】
表示データの任意のラインのドットクロック信号，水平／垂直同期信号，およびＲＧＢデータ信号とともに、前記任意のラインのデータが直前のラインのデータと同一であることを示すプレライン信号を送出し、
前記ドットクロック信号，前記水平／垂直同期信号，前記ＲＧＢデータ信号，および前記プレライン信号を取り込み、前記プレライン信号が有効のときにはＬＣＤパネルを動作させるＲＧＢ出力信号を変化させないようにする、
ことを特徴とするＬＣＤインターフェース方法。
【請求項６】
表示データの任意のラインのドットクロック信号，水平／垂直同期信号，およびＲＧＢデータ信号とともに、前記任意のラインのデータが直前のラインのデータと同一であることを示すプレライン信号を送出する場合、
ドットクロック信号を生成し、水平／垂直同期信号のタイミングを生成し、表示データを保持するバッファメモリとの間で前記表示データの読み出し／書き込みを制御し、現在ＬＣＤパネルへ送出しているラインのＲＧＢデータ信号をラインバッファに一時的に保持し、前記ラインの直前のラインのＲＧＢデータ信号をプレラインバッファに保持し、現在送出しているラインのＲＧＢデータ信号をラッチに一時的に保持し、前記ラインバッファおよび前記プレラインバッファが送出するＲＧＢデータ信号を第一の比較器で比較しその結果をプレライン信号として送出し、前記ラッチが送出するＲＧＢデータ信号および前記ラインバッファが送出するＲＧＢデータ信号を第二の比較器で比較しその結果を前記第一の比較器へ送出し、前記ラッチが送出するＲＧＢデータ信号および前記ラインバッファが送出するＲＧＢデータ信号のいずれかを前記第一の比較器の出力結果によって選択しそれをＲＧＢデータ信号として送出することを特徴とする請求項５記載のＬＣＤインターフェース方法。
【請求項７】
前記ドットクロック信号，前記水平／垂直同期信号，前記ＲＧＢデータ信号，および前記プレライン信号を取り込み、前記プレライン信号が有効のときにはＬＣＤパネルを動作させるＲＧＢ出力信号を変化させないようにする場合、
前記ラインのＲＧＢデータ信号をラインバッファに保持し、前記ラインバッファが保持する一ライン前のＲＧＢデータ信号をプレラインバッファに保持し、前記水平／垂直同期信号に従ってＬＣＤパネルのタイミング信号を生成し、現在のＲＧＢデータ信号および前記プレラインバッファが送出する一ライン前のＲＧＢデータ信号のいずれかを前記プレライン信号に従って選択しそれを前記ラインバッファへ送出することを特徴とする請求項５または６記載のＬＣＤインターフェース方法。
【発明の詳細な説明】
【技術分野】
【０００１】
本発明はＬＣＤインターフェース方式および方法に関し、特にＬＣＤパネルに印加するＲＧＢ出力信号を極力変化させないようにするＬＣＤインターフェース方式および方法に関する。
【背景技術】
【０００２】
従来のＬＣＤインターフェース方式では、図４に示すように、ＣＰＵ１が生成する表示データ信号はＬＣＤコントローラ６０を解して一旦バッファメモリ２に書き込まれ、さらにＬＣＤコントローラ６０およびタイミング制御部７０を経てＬＣＤパネル３を動作させる。
【０００３】
また、図５に示すように、ＬＣＤコントローラ６０はドットクロック生成部６１，同期信号生成部６２，ラインバッファ６４，およびメモリ制御部６３を備え、バッファメモリ２から表示データ信号を取り込んでドットクロック信号，水平／垂直同期信号，およびＲＧＢデータ信号をタイミング制御部７０へ送出する。タイミング制御部７０はラインバッファ７１およびＬＣＤ表示タイミング生成部７２を備え、ＬＣＤコントローラ６０からドットクロック信号，水平／垂直同期信号，およびＲＧＢデータ信号を入力してＲＧＢ出力信号を生成し、ＬＣＤパネルを駆動する。
【０００４】
ここでは、バッファメモリから読み出した表示データをＬＣＤパネルへ送るため、ＲＧＢデータをＬＣＤの表示タイミングに同期させて出力している。この際、ＲＧＢデータ数は、表示色数に応じて多数の信号数を持つため、信号の変化に伴い、消費電流は増加し、さらに放射ノズルが増加する。すなわち、表示データの変化点においてＲＧＢデータの信号変化が発生し、この信号変化により消費電流および放射ノズルを増加させている。
【０００５】
従来、上記の現象を改善するために、種々の手段が提案されている（たとえば、特許文献１参照。）。この例では、表示データ１ラインの全ビットが直前のラインの全ビットと一致した場合にシフトロックを停止し、１ラインのスキャンを停止する。すなわち、１ライン単位で信号変化の有無をチェックし、消費電流および放射ノズルを低減させようとしている。
【０００６】
【特許文献１】特開平１０−８３１６５号公報（第３〜４頁，図１）
【発明の開示】
【発明が解決しようとする課題】
【０００７】
上記のように、従来のＬＣＤインターフェース方式は、表示データの変化点においてＲＧＢデータの信号変化が発生するたびに、ＬＣＤパネルに印加する消費電流が増加し、放射ノズルも増加する。これを回避するために、表示データ１ラインごとに直前のラインとの信号変化の有無をチェックし、全ビットが一致した場合に１ラインのスキャンを停止している。しかしながら、ライン単位のチェックであるので、実際の信号変化に対応していないという欠点がある。
【０００８】
本発明の目的は、上記のような欠点を改善するために、現ラインのビットごとに直前のラインのデータと比較し、変化がない場合には直前のラインのデータを使用するようにするＬＣＤインターフェース方式および方法を提供することにある。特に、縦方向で同一データが連続する場合、前ラインデータを元にＲＧＢ信号のデータ出力を生成することにより、ＲＧＢ信号変化を減少したＬＣＤインターフェース方式および方法を提供することにある。
【課題を解決するための手段】
【０００９】
本発明のＬＣＤインターフェース方式は、表示データの任意のラインのドットクロック信号，水平／垂直同期信号，およびＲＧＢデータ信号とともに、前記任意のラインのデータが直前のラインのデータと同一であることを示すプレライン信号を送出するＬＣＤコントローラと、前記ドットクロック信号，前記水平／垂直同期信号，前記ＲＧＢデータ信号，および前記プレライン信号を取り込み、前記プレライン信号が有効のときにはＬＣＤパネルを動作させるＲＧＢ出力信号を変化させないようにするタイミング制御部とを有することを特徴とする。
【００１０】
さらに、本発明のＬＣＤインターフェース方式において、前記ＬＣＤコントローラは、ドットクロック信号を生成するドットクロック生成部と、水平／垂直同期信号のタイミングを生成する同期信号生成部と、表示データを保持するバッファメモリとの間で前記表示データの読み出し／書き込みを制御するメモリ制御部と、現在ＬＣＤパネルへ送出しているラインのＲＧＢデータ信号を一時的に保持するラインバッファと、前記ラインバッファが保持しているラインの直前のラインのＲＧＢデータ信号を保持するプレラインバッファと、現在送出しているラインのＲＧＢデータ信号を一時的に保持するラッチと、前記ラインバッファおよび前記プレラインバッファが送出するＲＧＢデータ信号を比較しその結果をプレライン信号として送出する第一の比較器と、前記ラッチが送出するＲＧＢデータ信号および前記ラインバッファが送出するＲＧＢデータ信号を比較しその結果を前記第一の比較器へ送出する第二の比較器と、前記ラッチが送出するＲＧＢデータ信号および前記ラインバッファが送出するＲＧＢデータ信号のいずれかを前記第一の比較器の出力結果によって選択しそれをＲＧＢデータ信号として送出するセレクタとを具備することを特徴とする。
【００１１】
さらに、本発明のＬＣＤインターフェース方式において、前記タイミング制御部は、前記ＬＣＤコントローラから送出されているラインのＲＧＢデータ信号を保持するラインバッファと、前記ラインバッファが保持する一ライン前のＲＧＢデータ信号を保持するプレラインバッファと、前記水平／垂直同期信号に従ってＬＣＤパネルのタイミング信号を生成するＬＣＤ表示タイミング生成部と、前記ＬＣＤコントローラが送出するＲＧＢデータ信号および前記プレラインバッファが送出する一ライン前のＲＧＢデータ信号のいずれかを前記ＬＣＤコントローラが送出するプレライン信号に従って選択するセレクタとを具備することを特徴とする。
【００１２】
また、本発明のＬＣＤインターフェース方法は、任意の表示データをＬＣＤパネルに表示させるとき、前記表示データの任意のラインのデータが直前のラインのデータと同一であることを示すプレライン信号を生成し、前記プレライン信号が有効の場合には前記ＬＣＤパネルを動作させるＲＧＢ出力信号を変化させないことを特徴とする。
【００１３】
また、本発明のＬＣＤインターフェース方法は、表示データの任意のラインのドットクロック信号，水平／垂直同期信号，およびＲＧＢデータ信号とともに、前記任意のラインのデータが直前のラインのデータと同一であることを示すプレライン信号を送出し、前記ドットクロック信号，前記水平／垂直同期信号，前記ＲＧＢデータ信号，および前記プレライン信号を取り込み、前記プレライン信号が有効のときにはＬＣＤパネルを動作させるＲＧＢ出力信号を変化させないようにすることを特徴とする。
【００１４】
さらに、本発明のＬＣＤインターフェース方法において、表示データの任意のラインのドットクロック信号，水平／垂直同期信号，およびＲＧＢデータ信号とともに、前記任意のラインのデータが直前のラインのデータと同一であることを示すプレライン信号を送出する場合、ドットクロック信号を生成し、水平／垂直同期信号のタイミングを生成し、表示データを保持するバッファメモリとの間で前記表示データの読み出し／書き込みを制御し、現在ＬＣＤパネルへ送出しているラインのＲＧＢデータ信号をラインバッファに一時的に保持し、前記ラインの直前のラインのＲＧＢデータ信号をプレラインバッファに保持し、現在送出しているラインのＲＧＢデータ信号をラッチに一時的に保持し、前記ラインバッファおよび前記プレラインバッファが送出するＲＧＢデータ信号を第一の比較器で比較しその結果をプレライン信号として送出し、前記ラッチが送出するＲＧＢデータ信号および前記ラインバッファが送出するＲＧＢデータ信号を第二の比較器で比較しその結果を前記第一の比較器へ送出し、前記ラッチが送出するＲＧＢデータ信号および前記ラインバッファが送出するＲＧＢデータ信号のいずれかを前記第一の比較器の出力結果によって選択しそれをＲＧＢデータ信号として送出することを特徴とする。
さらに、本発明のＬＣＤインターフェース方法において、前記ドットクロック信号，前記水平／垂直同期信号，前記ＲＧＢデータ信号，および前記プレライン信号を取り込み、前記プレライン信号が有効のときにはＬＣＤパネルを動作させるＲＧＢ出力信号を変化させないようにする場合、前記ラインのＲＧＢデータ信号をラインバッファに保持し、前記ラインバッファが保持する一ライン前のＲＧＢデータ信号をプレラインバッファに保持し、前記水平／垂直同期信号に従ってＬＣＤパネルのタイミング信号を生成し、現在のＲＧＢデータ信号および前記プレラインバッファが送出する一ライン前のＲＧＢデータ信号のいずれかを前記プレライン信号に従って選択しそれを前記ラインバッファへ送出することを特徴とする。
【００１５】
すなわち、本発明は、情報端末機器のＬＣＤ表示部への表示データインターフェース回路において、前ラインと同一データであることを示すプレライン信号を生成させ、プレライン信号有効時には、ＲＧＢ出力信号を変化させないようにする。
【００１６】
具体的には、ラインバッファのデータをＲＧＢデータとして出力せずにプレラインバッファのデータと比較し、同一データである場合はプレライン信号を有効にするとともに、ラッチに保持していた前データをＲＧＢデータとして出力する。このようにして、前ラインのデータと同一の場合、ＲＧＢデータ信号を変化させず、直前のデータを継続出力することにより、ＬＣＤコントローラのＲＧＢデータ信号変化を低減し、消費電力および放射ノズルを低減する。
【発明の効果】
【００１７】
以上、詳細に説明したように、本発明によれば、コンピュータ機器などでの表示装置においてラインもしくはカラム方向で同一データが連続する場合、ＬＣＤインターフェースにおいて、前ラインのデータを活用することにより、ＲＧＢデータ出力としては信号変化を不要にしているので、ＲＧＢ信号変化に伴う消費電流の増加および放射ノズルの発生を抑えることができる。
【発明を実施するための最良の形態】
【００１８】
以下、本発明について図面を参照しながら説明する。
【００１９】
図１は、本発明の実施の一形態を示す説明図である。同図において、本発明によるＬＣＤインターフェース方式は、表示データの任意のラインのドットクロック信号，水平／垂直同期信号，およびＲＧＢデータ信号とともに、前記任意のラインのデータが直前のラインのデータと同一であることを示すプレライン信号を送出するＬＣＤコントローラ１０と、前記ドットクロック信号，前記水平／垂直同期信号，前記ＲＧＢデータ信号，および前記プレライン信号を取り込み、前記プレライン信号が有効のときにはＬＣＤパネル３を動作させるＲＧＢ出力信号を変化させないようにするタイミング制御部２０とを有する。
【００２０】
なお、ＬＣＤコントローラ１０は、ＣＰＵ１が生成する表示データ信号をバッファメモリ２に書き込む機能も備えている。
【００２１】
図２は、ＬＣＤコントローラの構成を示すブロック図である。同図において、上記のＬＣＤコントローラ１０は、ドットクロック信号を生成するドットクロック生成部１１と、水平／垂直同期信号のタイミングを生成する同期信号生成部１２と、表示データを保持するバッファメモリとの間で前記表示データの読み出し／書き込みを制御するメモリ制御部１３と、現在ＬＣＤパネルへ送出しているラインのＲＧＢデータ信号を一時的に保持するラインバッファ１４と、前記ラインバッファが保持しているラインの直前のラインのＲＧＢデータ信号を保持するプレラインバッファ１５と、現在送出しているラインのＲＧＢデータ信号を一時的に保持するラッチ１８と、前記ラインバッファおよび前記プレラインバッファが送出するＲＧＢデータ信号を比較しその結果をプレライン信号として送出する第一の比較器１６と、前記ラッチが送出するＲＧＢデータ信号および前記ラインバッファが送出するＲＧＢデータ信号を比較しその結果を前記第一の比較器へ送出する第二の比較器１７と、前記ラッチが送出するＲＧＢデータ信号および前記ラインバッファが送出するＲＧＢデータ信号のいずれかを前記第一の比較器の出力結果によって選択しそれをＲＧＢデータ信号として送出するセレクタ１９とを具備する。
【００２２】
図３は、タイミング制御部の構成を示すブロック図である。同図において、上記のタイミング制御部２０は、前記ＬＣＤコントローラから送出されているラインのＲＧＢデータ信号を保持するラ２１インバッファと、前記ラインバッファが保持する一ライン前のＲＧＢデータ信号を保持するプレラインバッファ２２と、前記水平／垂直同期信号に従ってＬＣＤパネルのタイミング信号を生成するＬＣＤ表示タイミング生成部２４と、前記ＬＣＤコントローラが送出するＲＧＢデータ信号および前記プレラインバッファが送出する一ライン前のＲＧＢデータ信号のいずれかを前記ＬＣＤコントローラが送出するプレライン信号に従って選択するセレクタ２３とを具備する。
【００２３】
次に、上記のＬＣＤインターフェース方式の動作について説明する。
【００２４】
図２を参照すると、まず、ＬＣＤコントローラ１０はバッファメモリ２から、メモリ制御部１３を介し、１ライン分のデータをラインバッファ１４に読み込む。ラインバッファからは、ドットクロックに同期し、各画素に対応したＲＧＢデータの出力を行う。
【００２５】
また、次ラインの表示に移る時、ラインバッファ１４はプレラインバッファ１５にデータを送る。これにより、プレラインバッファには常に現在表示されている１ライン前のデータが保持されていることとなる。プレラインバッファ１５は、ラインバッファ１４と同様に、ドットクロックに同期し、１ライン前の同カラムのＲＧＢデータを出力する。
【００２６】
ここでラッチ１８は、ＬＣＤコントローラ１０が出力するＲＧＢデータをラッチすることにより、１画素前のデータを保持する。
【００２７】
次に、比較器１６は、ラインバッファ１４の出力とプレラインバッファ１５からの前ラインデータとの比較を行い、同一データである場合は、プレライン信号を有効にし、タイミング制御部２０へ出力するとともに、セレクタ１９を制御し、ラッチ１８に保持されたデータを出力することにより、実際のＲＧＢ出力信号の変化が行われないように制御する。データが異なる場合は、ラインバッファ１４の出力をそのままＲＧＢデータとして出力する。
【００２８】
また、比較器１７は、ラッチ１８から出力される１画素前のデータとラインバッファ１４から出力される本来のデータとを比較し、同一データであった場合、ＲＧＢ信号出力の変化がないことにより前ラインとの比較動作などは不要であるので、比較器１６の動作を無効にする。
【００２９】
上記のように、縦線ラインのデータを表示する場合、プレライン信号のみ動作し、ＲＧＢデータの信号は変化しないよう制御される。
【００３０】
図３を参照すると、タイミング制御部２０において、ラインバッファ２１は、セレクタ２３を介して得られるＲＧＢデータを１ライン分保持し、次ラインに移る場合、プレラインバッファ２２へデータを送る。これにより、プレラインバッファ２２では常に前ラインの表示データを保持していることとなり、ドットクロックに同期し、前ラインのＲＧＢデータをセレクタ２３へ出力する。
【００３１】
セレクタ２３は、通常は、ＬＣＤコントローラ１０から出力されたＲＧＢデータをラインバッファ２１へ出力するが、プレライン信号が有効な場合は、プレラインバッファ２２から出力された前ラインのデータをラインバッファ２１へ出力する。
【００３２】
ラインバッファ２１から出力されるＲＧＢデータは、ＬＣＤ表示タイミング生成部２４において、ＬＣＤパネル３が必要とする同期タイミングに調整され送出される。
【００３３】
上記のように、表示データに変化があり、ＲＧＢデータに変化が必要な場合であっても、前ラインと同一データである場合は、プレライン信号を有効にすることにより、ＲＧＢデータ信号は以前の状態を保持したままとすることができ、タイミング制御部２０にて、前ラインのデータをもとに本来のデータを再現することが可能となる。
【産業上の利用可能性】
【００３４】
本発明によれば、各ラインのＲＧＢデータを直前のラインと１ビットごとに比較して信号変化をチェックしてＬＣＤパネルの駆動信号を決定しているので、ＬＣＤパネルの消費電流および放射ノズルを大幅に低減させることができる。したがって、省電力・高品質のＬＣＤパネルを提供することができる。
【図面の簡単な説明】
【００３５】
【図１】本発明の実施の一形態を示す説明図。
【図２】ＬＣＤコントローラの構成を示すブロック図。
【図３】タイミング制御部の構成を示すブロック図。
【図４】本発明の従来例を示す説明図。
【図５】従来例の構成を示すブロック図。
【符号の説明】
【００３６】
１    ＣＰＵ
２    バッファメモリ
３    ＬＣＤパネル
１０，６０    ＬＣＤコントローラ
１１，６１    ドットクロック生成部
１２，６２    同期信号生成部
１３，６３    メモリ制御部
１４，２１，６４，７１    ラインバッファ
１５，２２    プレラインバッファ
１６，１７    比較器
１８    ラッチ
１９，２３    セレクタ
２０，７０    タイミング制御部
２４，７２    ＬＣＤ表示タイミング生成部
【図１】
2005265939.tif 000003
【図２】
2005265939.tif 000004
【図３】
2005265939.tif 000005
【図４】
2005265939.tif 000006
【図５】
2005265939.tif 000007